(57)【特許請求の範囲】
【請求項１】
両側に縦筋挿通用の凹溝が形成され、上下両面のいずれか一方の面に横筋挿通用の凹溝が前記縦筋挿通用の凹溝と連通して形成され、この横筋挿通用の凹溝が形成されていない他方の面であって前記縦筋挿通用の両凹溝の中間に、一方の面に向かって開口する行き止まり縦穴が形成されている横筋用コンクリートブロックと、両側に縦筋挿通用の凹溝が形成され、該両凹溝の中間に、縦穴が前記横筋用コンクリートブロックの行き止まり縦穴と対峙して貫設されている縦筋用コンクリートブロックとを具え、
前記横筋用コンクリートブロック及び縦筋用コンクリートブロックは、その一側に形成された縦筋挿通用の凹溝が、他側に形成された縦筋挿通用の凹溝よりその長さ方向の長さが大きくなっており、
また、前記横筋用コンクリートブロック及び縦筋用コンクリートブロックは、最下段用として横筋用コンクリートブロックが複数個、横筋挿通用の凹溝を下面として配置され、これら横筋用コンクリートブロックの上面に中間段用として横筋用コンクリートブロックが複数個、横筋挿通用の凹溝を上面として対向配置されているとともに、これら横筋用コンクリートブロックの上面に横筋用コンクリートブロックが複数個、横筋挿通用の凹溝を下面として対向配置され、さらにこれら横筋用コンクリートブロックの上面に縦筋用コンクリートブロックが複数個、その下面を対向配置され、これら中間段用のコンクリートブロックが１個のブロック単体として必要個数配置され、これらブロック単体の縦筋用コンクリートブロックの上面に最上段用として横筋用コンクリートブロックが複数個、横筋挿通用の凹溝を上面として対向配置され、これら最下段・中間段・最上段のブロックで所要の大きさのブロック群が形成され、
このブロック群は、縦及び横に隣接して接する横筋用コンクリートブロックの対向する横筋挿通用の凹溝に横筋が挿通されて第１の固定部材により固定されているとともに、縦に隣接して接する横筋用コンクリートブロック及び縦筋用コンクリートブロックの縦筋挿通用の凹溝に縦筋が挿通されて第２の固定部材により固定され、これら横筋及び縦筋が通された凹溝にコンクリートが充填され固化されていることを特徴とするブロックパネル。
【請求項２】
第１の固定部材が、横筋の両端部に形成されたおねじに螺合されるナットと、横筋挿通用の穴が形成された端板とを有し、第２の固定部材が、縦筋の一端部に固定された端板と、縦筋の他端部に形成されたおねじに螺合されるナットと、縦筋挿通用の穴が形成された端板とを有している請求項１記載のブロックパネル。
【請求項３】
請求項１又は２に記載のブロックパネルに用いられるもので、コンクリートブロック本体の一側及び他側に縦筋挿通用の凹溝が形成され、該一側の縦筋挿通用の凹溝が、他側の縦筋挿通用の凹溝よりその長さ方向の長さが大きくなっていることを特徴とするコンクリートブロック。
【発明の詳細な説明】
【０００１】
【発明の属する技術分野】
この発明は、建物などの壁用として用いられるブロックパネル及びコンクリートブロックに関するものである。
【０００２】
【従来の技術】
従来この種のブロックパネルとして、例えば特公昭５９−１３６２１号公報に開示されたものが知られている。このブロックパネルは多数のコンクリートブロックを縦横に並べて接着し、所定個所にＰＣ鋼棒を挿入して内部応力を導入した壁用プロックパネルにおいて、プロックパネルは、両側に縦筋挿通用の凹溝が凹設され、上面に横筋挿通用の凹溝が凹設され、更に前記両縦筋挿通用の凹溝の中間に下面に向かって開口する複数の行き止まり縦穴が形成されている横筋用コンクリートブロックと、両側に縦筋挿通用の凹溝が凹設され、該両縦筋挿通用の凹溝の中間に前記横筋用コンクリートブロックの行き止まり縦穴と対峙する位置に複数の縦穴が貫設され、また前記縦筋挿通用の凹溝と該凹溝に隣接する縦穴との境壁の上下に切り欠き段部が設けられている縦筋用コンクリートブロックとを構成要素として構成されている。
【０００３】
しかしながら、前記ブロックパネルは横筋用コンクリートブロック及び縦筋用コンクリートブロックの両側に形成された縦筋挿通用の凹溝の長さ方向の寸法が同じ長さになっているので、縦に隣接して接するコンクリートブロックの縦筋挿通用の凹溝に縦筋を挿通した後にコンクリートを充填する際、該凹溝の隙間が縦筋の存在により小さくなり、コンクリートが充填しにくく、その施工性が著しく悪いとともに、強度的にも満足できるものではなかった。
【０００４】
【発明が解決しようとする課題】
そこでこの発明は、前記のような従来の問題点を解決し、横筋用コンクリートブロック及び縦筋用コンクリートブロックの両側に形成された縦筋挿通用の凹溝の長さ方向の寸法（凹溝の隙間）を大きくとることができ、コンクリートの充填がし易いようにできて、その施工性と強度を高めることができるブロックパネル及びコンクリートブロックを提供することを目的とする。
【０００５】
【課題を解決するための手段】
前記目的を達成するため、請求項１の発明は、両側に縦筋挿通用の凹溝が形成され、上下両面のいずれか一方の面に横筋挿通用の凹溝が前記縦筋挿通用の凹溝と連通して形成され、この横筋挿通用の凹溝が形成されていない他方の面であって前記縦筋挿通用の両凹溝の中間に、一方の面に向かって開口する行き止まり縦穴が形成されている横筋用コンクリートブロックと、両側に縦筋挿通用の凹溝が形成され、該両凹溝の中間に、縦穴が前記横筋用コンクリートブロックの行き止まり縦穴と対峙して貫設されている縦筋用コンクリートブロックとを具え、前記横筋用コンクリートブロック及び縦筋用コンクリートブロックは、その一側に形成された縦筋挿通用の凹溝が、他側に形成された縦筋挿通用の凹溝よりその長さ方向の長さが大きくなっており、また、前記横筋用コンクリートブロック及び縦筋用コンクリートブロックは、最下段用として横筋用コンクリートブロックが複数個、横筋挿通用の凹溝を下面として配置され、これら横筋用コンクリートブロックの上面に中間段用として横筋用コンクリートブロックが複数個、横筋挿通用の凹溝を上面として対向配置されているとともに、これら横筋用コンクリートブロックの上面に横筋用コンクリートブロックが複数個、横筋挿通用の凹溝を下面として対向配置され、さらにこれら横筋用コンクリートブロックの上面に縦筋用コンクリートブロックが複数個、その下面を対向配置され、これら中間段用のコンクリートブロックが１個のブロック単体として必要個数配置され、これらブロック単体の縦筋用コンクリートブロックの上面に最上段用として横筋用コンクリートブロックが複数個、横筋挿通用の凹溝を上面として対向配置され、これら最下段・中間段・最上段のブロックで所要の大きさのブロック群が形成され、このブロック群は、縦及び横に隣接して接する横筋用コンクリートブロックの対向する横筋挿通用の凹溝に横筋が挿通されて第１の固定部材により固定されているとともに、縦に隣接して接する横筋用コンクリートブロック及び縦筋用コンクリートブロックの縦筋挿通用の凹溝に縦筋が挿通されて第２の固定部材により固定され、これら横筋及び縦筋が通された凹溝にコンクリートが充填され固化されていることを特徴とする。
【０００６】
請求項２の発明は、請求項１において、第１の固定部材が、横筋の両端部に形成されたおねじに螺合されるナットと、横筋挿通用の穴が形成された端板とを有し、第２の固定部材が、縦筋の一端部に固定された端板と、縦筋の他端部に形成されたおねじに螺合されるナットと、縦筋挿通用の穴が形成された端板とを有していることを特徴とする。
【０００７】
請求項３の発明は、請求項１又は２に記載のブロックパネルに用いられるコンクリートブロックで、コンクリートブロック本体の一側及び他側に縦筋挿通用の凹溝が形成され、該一側の縦筋挿通用の凹溝が、他側の縦筋挿通用の凹溝よりその長さ方向の長さが大きくなっていることを特徴とする。
【０００８】
【発明の実施の形態】
この発明の一実施の形態を、添付図面を参照して説明する。図１はブロックパネルの正面図、図２は同縦筋部における側面図、図３は同平面図である。１は所要の大きさに形成された正面方形状のブロックパネルで、横筋用コンクリートブロック２と縦筋用コンクリートブロック３が多数縦横に並べられ、横筋５及び縦筋６などにより緊定固定されたうえ、図示しないコンクリートが充填されて構成されている。
【０００９】
横筋用コンクリートブロック２は、図４に示すように直方体形状のコンクリートブロック本体８を具え、該本体の両側に縦筋挿通用の凹溝１０，１１が形成され、下面に横筋挿通用の凹溝１２が凹溝１０，１１と連通して形成されている。本体８の一側に形成された凹溝１０は、その長さ方向の長さＬ１が他側に形成された凹溝１１の長さ方向の長さＬ２より大きくなっている。凹溝１２が形成されていない上面であって凹溝１０，１１の中間に上面に向かって開口する行き止まり縦穴１３が形成されている。縦穴１３はこの例では２個形成されているが、複数個であれば３個以上でもよいし、１個でもよい。また凹溝１０の長さＬ１は凹溝１１の長さＬ２の倍程度であることが好ましい。
【００１０】
縦筋用コンクリートブロック３は、図５に示すように直方体形状のコンクリートブロック本体１５を具え、該本体の両側に横筋用コンクリートブロック２と同様に縦筋挿通用の凹溝１７，１８が形成され、該両凹溝の中間に、縦穴１９が横筋用コンクリートブロック３の行き止まり縦穴１３と対峙して２個貫設されている。縦穴１９も複数個であれば３個以上でもよいし、１個でもよい。また凹溝１７と凹溝１８の長さ方向の長さＬ１、Ｌ２関係は前記凹溝１０と凹溝１１の関係と同様となっている。
【００１１】
横筋用コンクリートブロック２及び縦筋用コンクリートブロック３を用いてブロックパネル１を組み立て壁用として施工するには、少なくとも横方向に同種のものが配置されるようにし、平坦面上にまず横筋用コンクリートブロック２を左右に１対、一方のコンクリートブロック２の一側の凹溝１０のある端面と、他方のコンクリートブロック２の他側の凹溝１１のある端面が接し、凹溝１０，１１，１２及び縦穴１３が横向きとなるように並べて配置する。これが立設すると最下段の横筋用コンクリートブロックとなる。次に該横筋用コンクリートブロックの縦穴１３とその縦穴が対峙するように左右１対の横筋用コンクリートブロック２を同様に並べて合わせ、合わせ目に図示しない任意の接着剤を塗布して接着し接続する。次に該横筋用コンクリートブロックの凹溝１２のある面と凹溝１２のある面が接するように左右１対の横筋用コンクリートブロック２を同様に並べて合わせ、合わせ目に同様に接着剤を塗布して接着し接続する。さらに該横筋用コンクリートブロックの縦穴１３とその縦穴が対峙するように左右１対の縦筋用コンクリートブロック３を同様に並べて合わせ、合わせ目に同様に接着剤を塗布して接着し接続する。
【００１２】
前記のように最下段となる横筋用コンクリートブロック２に対して３つのコンクリートブロック２，２，３が重ね合わされて１個のブロック単体２１が構成され、このようなブロック単体２１が図示のように３個、順次重ね合わされて配置される。そして最後に最初と同様に最上段となる横筋用コンクリートブロック２を縦穴１３が３個目のブロック単体２１を構成する縦筋用コンクリートブロック３の縦穴１３と対峙するように配置する。そして前記同様に合わせ目に接着剤を塗布して接着し接続する。
【００１３】
前記のようにしてコンクリートブロック２，３が多数縦横に並べられた所要の大きさのブロック群（この実施の形態では２列で１１段のブロック群）が形成されたら、左右両横筋用コンクリートブロック２の凹溝１２，１２間に横筋５を挿入し、その両端部が凹溝１０，１１に位置しているところで両端部に形成したおねじ２２に図６に示す端板２３を穴２４から差し込み、端板２３を両横筋用コンクリートブロック２の凹溝１０，１０又は１１，１１間にわたり配置して該凹溝に係合させるとともに、ナット２５を螺合して緊定することにより固定する。これをブロック単体２１のある計３個所で行う。端板２３とナット２５は第１の固定部材を構成する。
【００１４】
さらにこの作業が終了したら互いに接するコンクリートブロック２，３の凹溝１０，１１間に縦筋６を挿入し、その一端部に溶接により設けた端板２７を最下段となる両横筋用コンクリートブロック２の凹溝１２に係合させるとともに、他端部が最上段となる両横筋用コンクリートブロック２の凹溝１２に位置しているところで該他端部に形成したおねじ２８に図７に示す端板３０を穴３１から差し込み、端板２７，３０を両横筋用コンクリートブロック２の凹溝１２間にわたり配置して該凹溝に係合させるとともに、ナット３２を螺合して緊定することにより固定する。さらにこの実施の形態では縦筋６の凹溝１２から外方へ突出したおねじ２８に別の端板３４を穴３５から差し込み、該端板を最上段となる両横筋用コンクリートブロック２の端面に係合させるとともに、ナット３６を螺合して緊定する。両端板３０，３４と両ナット３２，３６は第２の固定部材を構成するが、端板３４とナット３６は必須のものではない。縦筋６の芯とブロック端面の芯は前記Ｌ１＞Ｌ２の関係から図３のように大きい側にずれる。
【００１５】
前記によりブロック群は横筋５と縦筋６によりしっかりと固定された状態となる。この状態で唯一ブロック群から突出した前記端板３４に図示しないクレーンのフックを引っ掛けて吊上げ、縦向きにした状態で図示しない台車など移送部材に載せて所定の建て込み場所まで運び、設置する。この運搬に際し、端板３４とナット３６以外の端板２３，２７，３０やナット２５，３２などの固定部材が全て凹溝１０，１１，１２内に収まり、ブロック群から外方へ突出することがないので、搬入・搬出作業が容易である。しかる後、ブロック群の両側など必要個所に図示しない型枠を取り付け、凹溝１０，１１，１２，１７，１８を塞ぐとともに、最上段となる横筋用コンクリートブロック２の凹溝１２から図示しないコンクリートを充填すると、コンクリートは該凹溝から縦筋６のある凹溝１０，１１，１７，１８を経て、横筋５のある凹溝１２へ、さらに型枠のある凹溝１０，１１，１７，１８及び最下段の横筋用コンクリートブロック２の凹溝１２へと流れて充填完了となる。この際に縦筋６が配置された凹溝１０，１１，１７，１８は長さの長い凹溝１０，１７と短い凹溝１１，１８とが接着状態にあって、全体としての凹溝の隙間が従来のものに比べて大きくなるので、コンクリートの充填作業がスムーズに行き、施工が早くできる。このコンクリートは横筋用コンクリートブロック２と縦筋用コンクリートブロック３に設けた縦穴１３，１９には充填されない。
【００１６】
この実施の形態では中間段にブロック単体２１を３個配置したが、これは一例であって最低１個であってもよいし、４個以上としてもよい。また縦横に何個接合するかも設計的な事項であり、その個数は実施に際して適宜に選択可能である。また、第１，２の固定部材も好ましい一例を示したにすぎず、図示したような端板とナット以外の部材を用いてもよい。
【００１７】
【発明の効果】
請求項１又は２の発明は前記のようであって、両側に縦筋挿通用の凹溝が形成され、上下両面のいずれか一方の面に横筋挿通用の凹溝が前記縦筋挿通用の凹溝と連通して形成され、この横筋挿通用の凹溝が形成されていない他方の面であって前記縦筋挿通用の両凹溝の中間に、一方の面に向かって開口する行き止まり縦穴が形成されている横筋用コンクリートブロックと、両側に縦筋挿通用の凹溝が形成され、該両凹溝の中間に、縦穴が前記横筋用コンクリートブロックの行き止まり縦穴と対峙して貫設されている縦筋用コンクリートブロックとを具え、前記横筋用コンクリートブロック及び縦筋用コンクリートブロックは、その一側に形成された縦筋挿通用の凹溝が、他側に形成された縦筋挿通用の凹溝よりその長さ方向の長さが大きくなっており、また、前記横筋用コンクリートブロック及び縦筋用コンクリートブロックは、最下段用として横筋用コンクリートブロックが複数個、横筋挿通用の凹溝を下面として配置され、これら横筋用コンクリートブロックの上面に中間段用として横筋用コンクリートブロックが複数個、横筋挿通用の凹溝を上面として対向配置されているとともに、これら横筋用コンクリートブロックの上面に横筋用コンクリートブロックが複数個、横筋挿通用の凹溝を下面として対向配置され、さらにこれら横筋用コンクリートブロックの上面に縦筋用コンクリートブロックが複数個、その下面を対向配置され、これら中間段用のコンクリートブロックが１個のブロック単体として必要個数配置され、これらブロック単体の縦筋用コンクリートブロックの上面に最上段用として横筋用コンクリートブロックが複数個、横筋挿通用の凹溝を上面として対向配置され、これら最下段・中間段・最上段のブロックで所要の大きさのブロック群が形成され、このブロック群は、縦及び横に隣接して接する横筋用コンクリートブロックの対向する横筋挿通用の凹溝に横筋が挿通されて第１の固定部材により固定されているとともに、縦に隣接して接する横筋用コンクリートブロック及び縦筋用コンクリートブロックの縦筋挿通用の凹溝に縦筋が挿通されて第２の固定部材により固定され、これら横筋及び縦筋が通された凹溝にコンクリートが充填され固化されているので、横筋用コンクリートブロック及び縦筋用コンクリートブロックの両側に形成された凹溝に挿通した縦筋と凹溝間の隙間を大きくとることができる。したがって、従来のものに比べてコンクリートの充填がし易いようにできて、ブロックパネルの施工性と強度を高めることができる。請求項３の発明は前記のようなブロックパネルを形成する際に有効なコンクリートブロックを提供することができるという優れた効果がある。
【図面の簡単な説明】
【図１】この発明の一実施の形態を示すブロックパネルの正面図である。
【図２】同縦筋部における側面図である。
【図３】同平面図である。
【図４】横筋用コンクリートブロックを示し、（Ａ）は平面図、（Ｂ）は同縦断正面図、（Ｃ）は同略半部破断の側面図である。
【図５】縦筋用コンクリートブロックを示し、（Ａ）は平面図、（Ｂ）は同縦断正面図、（Ｃ）は同側面図である。
【図６】一部省略の横筋と第１の固定部材を示す斜視図である。
【図７】一部省略の縦筋と第２の固定部材を示す斜視図である。
【符号の説明】
１  ブロックパネル
２  横筋用コンクリートブロック
３  縦筋用コンクリートブロック
５  横筋
６  縦筋
８，１５  ブロック本体
１０，１１，１７，１８  縦筋挿通用の凹溝
１２  横筋挿通用の凹溝
１３  行き止まり縦穴
２１  ブロック単体
２２，２７，２８  おねじ
２３，２７，３０，３４  端板
２５，３２，３６  ナット
【図１】
0003706086.tif 000002
【図２】
0003706086.tif 000003
【図３】
0003706086.tif 000004
【図４】
0003706086.tif 000005
【図５】
0003706086.tif 000006
【図６】
0003706086.tif 000007
【図７】
0003706086.tif 000008